(57)【要約】      （修正有）【課題】内部に無線手段を取り付けるために複雑な製造工程を必要とせず、且つ取り付けられた無線手段が容易に検出されることを保証する紙製の財布を提供する。【解決手段】無線手段を備えている紙の財布は、財布本体部１０と無線手段２０とを備えている。財布本体部１０は複数のポケット１１を形成するために折り畳まれる、所定のテンプレートと同一の外形形状を有するテンプレート紙によって作られる。無線手段２０は、強固にテンプレート紙に取り付けられており、財布本体部のポケット１１の１つに入れられている。無線手段２０は、予めテンプレート紙に固定されており、テンプレート紙が折り畳まれるときに破損する恐れがない。さらに、電磁波が簡単に紙の財布を貫通することができるので、紙の財布の中の無線手段２０は簡単に検出されることが可能である。【選択図】図１
0003177916.tif 000002
【実用新案登録請求の範囲】
【請求項１】
紙の財布であって、
複数のポケットを形成するために折り畳まれるテンプレート紙によって作られている財布本体部と、
前記テンプレート紙に強固に取り付けられており、前記財布本体部の前記ポケットの中の一つに収容されている無線手段と、
を備えていることを特徴とする紙の財布。
【請求項２】
前記無線手段が、検出チップと、前記検出チップに電気的に接続されているループアンテナとを備えていることを特徴とする請求項１記載の紙の財布。
【請求項３】
前記テンプレート紙が、
複数の行及び列を有する格子状の配列の形式で配置されている複数のポケット層を備えた基材部であって、前記格子状の配列の互いに隣接する二つの列に配置された前記ポケット層が一つのポケットを構成するように配置されており、前記無線手段が前記ポケット層のいずれか一つの面上に強固に取り付けられていることを特徴とする基材部と、
前記基材部に部分的に形成されており、前記基材部の周縁から突き出しており、複数の貼付部を備えている接続用縁部であって、各々の前記貼付部が前記ポケット層のいずれかの外側の辺の一つに対応して形成されていることを特徴とする接続用縁部と、
を備えていることを特徴とする請求項１又は２に記載の紙の財布。
【請求項４】
前記ポケット層が２行６列を有する格子状の形態で配置されており、前記無線手段が、前記格子状の配列において、第６列第２行目の前記ポケット層の上に固定されており、
前記接続用縁部１５が、二つの右端のポケット層の周囲に形成されており、且つ四個の貼付部を備えており、四個の前記貼付部は、それぞれが、格子状の配列の第６列の第１行目のポケット層の右側の端辺及び上側の端辺と、格子状の配列の第６列の第２行目のポケット層の右側の端辺及び下側の端辺と、に接続されていることを特徴とする請求項３に記載の紙の財布。
【請求項５】
格子状の配列の形式で配置されている前記ポケット層のうちの第１列の２つのポケット層に、二つの細長い開口が貫通して形成されていることを特徴とする請求項４に記載の紙の財布。
【請求項６】
前記無線手段が、ストアドバリューカード、スマートカード、チャージカード、デビットカード、及びプロキシミティカードからなる群の中のいずれか一つのカードによって採用されている無線自動識別（ＲＦＩＤ）装置であることを特徴とする請求項１又は２に記載の紙の財布。
【請求項７】
前記無線手段が、ストアドバリューカード、スマートカード、チャージカード、デビットカード、及びプロキシミティカードからなる群の中のいずれか一つのカードによって採用されているＲＦＩＤ装置であることを特徴とする請求項３に記載の紙の財布。
【請求項８】
前記無線手段が、ストアドバリューカード、スマートカード、チャージカード、デビットカード、及びプロキシミティカードからなる群のいずれか一つのカードによって採用されているＲＦＩＤ装置であることを特徴とする請求項４に記載の紙の財布。
【請求項９】
前記無線手段が、ストアドバリューカード、スマートカード、チャージカード、デビットカード、及びプロキシミティカードからなる群の中のいずれか一つのカードによって採用されているＲＦＩＤ装置であることを特徴とする請求項５に記載の紙の財布。
【考案の詳細な説明】
【技術分野】
【０００１】
本考案は紙の財布（紙製の財布）に関し、特に、無線手段（無線通信機器）を備えている紙の財布に関する。
【背景技術】
【０００２】
関連技術の説明
図７を参照すると、従来の財布３０は、日常生活において頻繁に使用される、金銭、身分証明書、その他のものを保持する機能を有する。現在の消費者が買い物をする時の支払い方法の習慣によれば、消費者は、多くの場合、財布３０から、現金、クレジットカード、若しくは無線手段３２付きのストアドバリューカード３１（ＩＣチップ内に貨幣価値を記憶して支払いを可能とするカード）を取り出して、販売場所で現金又はこれらのカードを店員に手渡し、取引のために支払いを行う。そしておつりを受け取ったり、クレジットカード、若しくはストアドバリューカード３１を返してもらう。しかし、クレジットカード若しくはストアドバリューカードは、このような支払い習慣が原因で、簡単に紛失する可能性がある。なぜなら、消費者は、時々クレジットカードやストアドバリューカードを受け取り忘れることがあるためである。前述の結果に対処するための直接的な手段は、無線手段３２を財布３０の内側に固定することである。
【考案の概要】
【考案が解決しようとする課題】
【０００３】
従来の財布は、通常、布、プラスチック、革、又はこれらの組み合わせで作られており、例えば裁断、縫製、等の多くの製造工程によって製造される。多層の財布３０の製造については、更に一層時間を要し且つ複雑な製造工程が含まれる。このため、前述の製造工程によって無線手段が急いで固定された場合には、その製造工程の複雑さが増大するだけではなく、無線手段３２が破損する恐れがある。
【０００４】
更に、従来の財布３０の材料は、電磁波がこれらを貫通することがほとんど困難であるほどの厚さを有している場合がある。無線手段３２がこのような財布３０の内側に固定された場合、無線手段３２が対応する検出機器によって検出されることが困難であり、期待された効果が達成されないことになる可能性が高い。
【０００５】
考案の概要  
本考案の目的は、その内部に無線手段（無線通信機器）を取り付けるために複雑な製造工程を必要とせず、且つ無線手段が容易に検出されることを保証する紙製の財布を提供することである。
【課題を解決するための手段】
【０００６】
上記目的を達成するために、本願の紙の財布は、財布本体部と無線手段とを備えている。
【０００７】
財布本体部は、折り畳まれてその結果複数のポケットを形成する、テンプレート紙で形成されている。尚、ここでいうテンプレート紙とは、「所定の形状のテンプレート（型板）を用いた打ち抜き加工を行うことによって、テンプレートと同一の外形形状を与えられた紙」のことである。
【０００８】
無線手段は、テンプレート紙に強固に取り付けられており、財布本体部のポケットの中の一つに収容されている。
【考案の効果】
【０００９】
テンプレート紙が紙の財布を形成するために折り畳まれる前に、無線手段は予めテンプレート紙に取り付けることができるので、この無線手段は、対応するポケットの内側に容易に取り付けることが可能である。本考案の製造工程は簡略化されており、従来の財布と比較すると、無線手段に損傷を与える可能性が低減されている。さらに、紙の財布は、従来の財布よりもより容易に電磁波を貫通させることが可能である。これにより、本考案に係る無線手段は、対応する検出機器によって従来よりも、より検出され易い。
【００１０】
本考案の他の目的、利点、及び新規な特徴は、添付の図面と併せて解釈されることにより、以下の詳細な説明からより明らかになるであろう。
【図面の簡単な説明】
【００１１】
【図１】図１は、本願に係る無線手段を備えた紙の財布の斜視図である。
【図２】図２は、展開された状態の図１の紙の財布の上面図である。
【図３】図３は、折り畳まれる図１の紙の財布の第一の操作中の斜視図である。
【図４】図４は、折り畳まれる図１の紙の財布の第二の操作中の斜視図である。
【図５】図５は、折り畳まれる図１の紙の財布の第三の操作中の斜視図である。
【図６】図６は、折り畳まれる図１の紙の財布の第四の操作中の斜視図である。
【図７】図７は、従来の紙の財布の斜視図である。
【考案を実施するための形態】
【００１２】
考案の詳細な説明
図１及び図２に示すように、本考案に係る無線手段を備えている紙の財布は、財布本体部１０と無線手段２０とを備えている。
【００１３】
財布本体部１０は、複数のポケット１１を形成するように折り畳まれる、所定のテンプレートと同一の外形形状を有しているテンプレート紙１２を材料として作られている。
【００１４】
無線手段２０は、財布本体部１０の一つのポケット１１の内側に強固に取り付けられている。無線手段２０は、ストアドバリューカード、スマートカード（メモリを内蔵した小型のカード）、チャージカード（特定店舗だけで使えるクレジットカード）、デビットカード（即時決済カード）、及びプロキシミティカード（近接型ＩＣカード）等によって採用されている無線自動識別（ＲＦＩＤ）装置を適用することが可能である。
【００１５】
本実施形態では、無線手段２０は、検出チップ２１と、ループアンテナ２２とを備えている。ループアンテナ２２は、検出チップ２１に電気的に接続されている。
【００１６】
テンプレート紙１２は、基材部１３と接続用縁部１５（結合フランジ１５）とを有している。基材部１３は、基材部１３から分割された複数のポケット層１４を備えている。複数のポケット層１４は、複数の行および列を有する格子状の配列（マトリクス）に配置されている。格子状の配列の互いに隣接する二つの列に配置されたポケット層１４が、ポケット１１を構成する。無線手段２０は、ポケット層１４のいずれか一つの上面に強固に取り付けられる。本実施形態では、ポケット層１４は、２行６列の格子状（マトリクス状）の形態で配置されている。無線手段２０は、この格子状の配列において、図２の右側で示される第６列の第２行目のポケット層の上に固定されている。二つの細長い開口１７（スロット１７）が、カードを挿入するために、図２の左側で示される第１列の２つのポケット層１４のそれぞれを貫通して形成されている。
【００１７】
接続用縁部１５は、基材部１３に部分的に形成されており、基材部１３の周縁から突き出しており、複数の貼付部１６を備えている。各々の貼付部１６は、接続用縁部１５で取り囲まれたポケット層１４のいずれかの、外側の辺の一つに対応して、形成されている。本実施形態では、接続用縁部１５は、二つの右端のポケット層１４の周囲に形成されており、四個の貼付部１６を備えている。四個の貼付部１６のうち二個は、格子配列の第６列の第１行目のポケット層１４において、図中で右側の端辺として示される辺と図中で上側の端辺として示される辺に接続されている。また四個の貼付部１６のうち二個は、格子配列の第６列の第２行目のポケット層１４において、図中で右側の端辺として示される辺と図中で下側の端辺として示される辺に接続されている。
【００１８】
図３及び図４を参照すると、ユーザがテンプレート紙１２を折りたたんで財布本体部１０を構成しようとするとき、最初の一つのポケット１１を形成するために、第５列の二つのポケット層１４の上面が、第６列の二つのポケット層１４の上面に向かって、折り畳まれる。次に、第二の一つのポケット１１を形成するために、第４列の二つのポケット層の下面（図４において下側に示される面）が、第５列の二つのポケット層１４の下面（図４において折り返されて上側に示されている面）に向かって折り畳まれる。テンプレート紙１２は、第１列の二つのポケット層１４の上面が第２列の二つのポケット層１４の対応する面に向かって折り畳まれて最後の一つのポケット１１を形成するまで、繰り返し同様の方法で折り畳まれる。
【００１９】
図５を参照すると、ポケット層１４が折り畳まれた後、第１列のポケット層１４が第２列のポケット層１４の上に積み重ねられ、第２列のポケット層１４が第３列のポケット層１４の上に積み重ねられる。他の全ての列のポケット層１４が、それぞれ隣り合う次の列のポケット層１４の上に積層された後、テンプレート紙１２は、平坦になるように圧縮されて、長方形の形状となる。無線手段２０は、第５列第１行目のポケット層１４と、第６列第１行目のポケット層との間に強固に取り付けられる。図６を参照すると、第６列の貼付部１６は、第６列のポケット層１４の対応する外側の辺（外周部）に沿って折り畳まれる。その後、紙の財布の製造完了工程で、貼付部１６は、無線手段２０が財布本体部１０のポケット１１の内部に固定されるために、第１列のポケット層１４の上面に貼り付けられる。
【００２０】
財布本体部１０が、テンプレート紙１２を上下に折り曲げて作られることにより、無線手段２０は、財布本体部１０のポケット層１４の一つに、直接貼り付けるか、若しくは強固に取り付けることが可能である。従来の財布の製造工程とは対照的に、本考案の製造工程は、より単純であり、より利便性が高く、より簡略化されている。また、折り畳みの工程のみを備えているために、本考案の財布の製造は、切断工程や、縫製工程による従来の財布の製造よりも、無線手段２０に対して破壊的ではない。さらに、本考案の紙の財布は、従来の財布のように厚いものではないために、電磁波が容易に貫通する。これにより、本考案に係る紙の財布は、無線手段２０が容易に取り付けられることを保証し、且つ対応する検出機器で容易に検出されることを保証する。
【００２１】
この実用新案に係る考案の多数の特徴および利点は、実用新案の構造と機能の詳細と一緒に、上記の明細書の記載に、その詳細な構造と機能ともに説明されているが、しかしこれらの例示を行っているにすぎない。細部の変更は、特に形状、大きさ、各部の配置や配列に関する細部にわたる変更は、願書に添付された実用新案登録請求に表現されている用語の広い一般的な意味によって開示されている完全な範囲内で、本願の実用新案の思想の中でなされることができる。
【符号の説明】
【００２２】
１０    財布本体部
１１    ポケット
１２    テンプレート紙
１３    基材部
１４    ポケット層
１５    接続用縁部
１６    貼付部
２０    無線手段
【図１】
0003177916.tif 000003
【図２】
0003177916.tif 000004
【図３】
0003177916.tif 000005
【図４】
0003177916.tif 000006
【図５】
0003177916.tif 000007
【図６】
0003177916.tif 000008
【図７】
0003177916.tif 000009